(57)【要約】
【課題】意匠的美感を有し、操作性が簡単で且つ、コンパクトにまとめられた腕時計を提供することを目的とする。
【解決手段】時計本体の時刻を表示する文字盤と、該文字盤を前方で覆う蓋体とを有し、その蓋体を開閉自在とした腕時計であって、文字盤の周縁部には少なくとも２枚の扉片をそれぞれ対向させて枢着し、開蓋時にはその扉片を付勢力により文字盤から離隔させて全開状態にすることで文字盤を現し、閉蓋時には２枚の扉片を付勢力に逆らって全閉状態にすることで蓋体の表面上に形成した模様を現すようにしたことを特徴とする。
【選択図】　図１
0003099740.tif 000002
【実用新案登録請求の範囲】
【請求項１】
　時計本体の時刻を表示する文字盤と、該文字盤を前方で覆う蓋体とを有し、その蓋体を開閉自在とした腕時計であって、
　文字盤の周縁部には少なくとも２枚の扉片をそれぞれ対向させて枢着し、
　開蓋時にはその扉片を付勢力により文字盤から離隔させて全開状態にすることで文字盤を現し、
　閉蓋時には２枚の扉片を付勢力に逆らって全閉状態にすることで蓋体の表面上に形成した模様を現すようにしたことを特徴とする開閉式時計。
【請求項２】
　前記扉片は互いに閉じたときに文字盤の蓋体となり、互いに重なり合う部分がないことを特徴とする請求項１記載の開閉式時計。
【請求項３】
　開蓋時には時計本体周囲に突出したつまみを有する係止部材を回転させて前記枢着部の付勢力を解放することにより扉片を開き、閉蓋時には開いた扉片を付勢力に逆らって文字盤方向に押付けて前記係止部材に係止させるようにしたことを特徴とする請求項１又は２記載の開閉式時計。
【請求項４】
　前記開蓋時には２枚の扉片が該文字盤に対して垂直状態となり、文字盤上に形成した模様が現れることを特徴とする請求項１〜３のいずれか１項記載の開閉式時計。
【請求項５】
　前記時計本体周囲に突出したつまみにはその端面部に滑り止めが施されていることを特徴とする請求項１〜４のいずれか１項記載の開閉式時計。
【考案の詳細な説明】
【技術分野】
【０００１】
　本考案は、時計機能を有すると共に意匠的美感を兼ね備え、特にその文字盤前方に設けられた複数の扉片を開閉するものに関する。
【背景技術】
【０００２】
　最近、腕時計は単に時刻表示機能を有するだけではなく、使い易さや美感又はファション性を有するものが極めて多く発案されている。その数例として、特許文献１、特許文献２及び特許文献３等が上げられる。
【０００３】
　特許文献１に開示する「運転者用腕時計」は、指針および文字盤の位置が逆位置に回動し得る回転ベゼルと、それに蝶番結合する鏡面付きの蓋を有するものからなる。これにより、任意の姿勢状態で時間を正確に目視し得るようにしたものである。
【０００４】
　特許文献２に開示する「裏返し文字盤時計」は、時計本体に上蓋を設置し、該上蓋内に設けた凸面鏡に文字盤上の時刻表示を裏返し表示するようにして文字盤の見易さを図ったものである。
【０００５】
　また、特許文献３に開示する「腕時計」は、文字盤を保護する蓋付のもので、該蓋を腕時計本体からヒンジを介して取付するが、その反対側にヒンジ取付部と同形状の突起部を形成し、全体として左右対称形状としたため、ヒンジ部分の突起部による違和感がなくなり、左右のいずれの手首に対しても同様の意匠的態様に着用することができる。
【０００６】
【特許文献１】実開昭５９−１１２１７０号公報（第１頁、第３図）
【特許文献２】実開昭６０−０７９１８６号公報（第１頁、第１図、第４図、第５図、第７図）
【特許文献３】登録実用新案第３０１６５７９号公報（第１頁、第１−３図）
【考案の開示】
【考案が解決しようとする課題】
【０００７】
　上述した公知技術はそれぞれに特徴を有するものであり、便利性や意匠的な美感を生じさせるものである。しかしながら、腕時計に付加する美的要素は常に多様的に変化し得るものが要求される。つまり、基本的には美感を刺激し意匠性を有することが必要である。さらに、腕時計の機能としての操作性が不可欠であり、且つコンパクトな形状のものが求められる。
【０００８】
　本考案は、以上の事情に鑑みて考案されたものであり、意匠的な美感を有し、操作性が簡単で、且つコンパクトな形状に完成された腕時計を提供することを目的とする。
【課題を解決するための手段】
【０００９】
　上記課題を解決するためにこの考案が採った手段は、時計本体の時刻を表示する文字盤と、該文字盤を前方で覆う蓋体とを有し、その蓋体を開閉自在とした腕時計であって、文字盤の周縁部には少なくとも２枚の扉片をそれぞれ対向させて枢着し、開蓋時には２枚の扉片を付勢力により文字盤から離隔させて全開状態にすることで文字盤を現し、閉蓋時には２枚の扉片を付勢力に逆らって全閉状態にすることで蓋体の表面上に形成した模様を現したことを特徴とする。
【００１０】
　また、２枚の扉片は互いに対向させて閉じたときに、その扉片は互いに重なり合う部分がなく面一の状態で文字盤の前方に広がって文字盤の蓋体としての役目をする。
【００１１】
　また、開蓋させる時は時計本体周囲に突出したつまみを有する係止部材を回転させて枢着部の付勢力を解放することにより２枚の扉片を開き、閉蓋させる時は開いた扉片を付勢力に逆らって文字盤方向に押付けて係止部材に係止させるようにする。
【００１２】
　また、開蓋時には２枚の扉片が文字盤に対して垂直状態に枢着し、文字盤上に形成した模様が現れるようにする。
【００１３】
　また、時計本体周囲に突出したつまみにはその端面部を回転しやすいように滑り止めを施してある。
【考案の効果】
【００１４】
　以上説明してきたように、この考案によれば、その構成を文字盤の周縁部には少なくとも２枚の扉片をそれぞれ対向させて枢着し、開蓋時には２枚の扉片を付勢力により文字盤から離隔させて全開状態にすることで文字盤を現し、閉蓋時には２枚の扉片を付勢力に逆らって全閉状態にすることで蓋体の表面上に形成した模様を現したため、開閉蓋のどの状態においても形成した模様を現すことができるという効果が得られる。
【００１５】
　また、扉片は互いに閉じたときに文字盤の蓋体となり、互いに重なり合う部分がないため、文字盤の表面に形成された模様が一枚のものとして認識することができるという効果が得られる。
【００１６】
　また、開蓋時には時計本体周囲に突出したつまみを有する係止部材を回転させて枢着部の付勢力を解放することにより扉片を開き、閉蓋時には開いた扉片を付勢力に逆らって文字盤方向に押付けて係止部材に係止させるようにしたため、簡単に手で蓋の開閉ができるという効果が得られる。
【００１７】
　また、開蓋時には２枚の扉片が文字盤に対して垂直状態となり、文字盤上に形成した模様が現れるようにしたため、意匠的美観を増大させるという効果が得られる。
【００１８】
　また、時計本体周囲に突出したつまみにはその端面部に滑り止めが施されているため、端部に手を当てても滑ることなく回転させることができるという効果が得られる。
【考案を実施するための最良の形態】
【００１９】
　この考案の好ましい実施の形態を、以下に説明する。この考案の開閉式時計は、時計本体の時刻を表示する文字盤と、該文字盤を前方で覆う蓋体とを有し、その蓋体を開閉自在とした腕時計であって、文字盤の周縁部には少なくとも２枚の扉片をそれぞれ対向させて枢着し、開蓋時には２枚の扉片を付勢力により文字盤から離隔させて全開状態にすることで文字盤上に形成した模様を現し、閉蓋時には２枚の扉片を付勢力に逆らって全閉状態にすることで蓋体の表面上に形成した模様を現すようになっている。
【００２０】
　扉片は互いに閉じたときに文字盤の蓋体となり、互いに重なり合う部分がないようになっている。また、開蓋時には時計本体周囲に突出したつまみを有する係止部材を回転させて前記枢着部の付勢力を解放することにより扉片を開き、閉蓋時には開いた扉片を付勢力に逆らって文字盤方向に押付けて係止部材に係止させるようになっている。そして、時計本体周囲に突出したつまみにはその端面部に滑り止めが施されている。
【実施例】
【００２１】
　本考案の一実施例を図面に基づいて説明する。図１は本考案の一実施例に係る開閉式時計の扉片が開いた状態を示す斜視図であり、図２は図１に示す開閉式時計の扉片が開いた状態を示す正面図である。また、図３は図１に示す開閉式時計の扉片が閉じた状態を示す正面図であり、図４は図３に示すＸ方向から見た状態を示した矢視図である。そして、図５は図２に示す支持板の構造を示す正面図であり、図６は図２に示す回転板の構造を示す正面図である。また、図７は図２に示す係止部に付加した係合部の詳細構造を示した斜視図である。
【００２２】
　これらの図を参照しながら、まず本考案である開閉式時計の構成を説明すると、図１に示すように、開閉式時計本体１は、時計本体４と、時刻合わせ等のリューズ２と、時刻を示す文字盤３と、該文字盤３を覆い蓋体になる扉片１５、１６および時計バンド６等とからなり、扉片１５、１６は時計本体１の周縁部に枢着されている。そして、その枢着部にはばね１１が備えられ、そのばね１１によって扉片１５、１６が全閉方向に付勢力を受けつつ取付られている。
【００２３】
　さらに開閉式時計本体１には、図２に示すように、ドーナッツ状部材の支持板５および回転板７がそのドーナッツ状部材の中心に文字盤３を設置しつつ順次組込まれている。
【００２４】
　支持板５は図５に示したように両サイドに切欠部８を有し、ドーナッツ状部材の周囲の上下箇所に係止孔７ａ、７ｂを有している。この切欠部８は時計本体４に組込んだ際に扉片１５、１６の枢着部に当たらないように逃げを設けたものであり、係止孔７ａ、７ｂは後述する扉片１５、１６に形成されている係合部１５ａ、１６ｂがそれぞれ嵌着するための孔である。
【００２５】
　次に、時計本体４の内側に位置する回転板７は図６に示したように前述した支持板５と同様に両サイドに切欠部９を有しており、この切欠部９は支持板５に形成した切欠部８より大きく切欠されている。その理由としては、図２に示したように時計本体４に組込んだ際に扉片１５、１６の枢着部を解放するものであるが、後述するようにこの回転板７は扉片１５、１６を開閉するためのつまみとなり、そのつまみを回転させてスイッチとして動作させる必要があるために、スイッチ動作のストロークを設けているためである。そしてまた、図６に示したように回転板７のドーナッツ状部材周囲面上下箇所に係止孔１０ａ、１０ｂを有している。この係止孔１０ａ、１０ｂ内にはそれぞれ凹部１２ａ、１２ｂが形成されており、この凹部１２ａ、１２ｂには後述する扉片１５、１６に形成されている係合部１５ａ、１６ｂがそれぞれ対応し係止される。
【００２６】
　次に、本考案の開閉式時計本体１に取付られた扉片１５、１６の開閉動作を説明する。
【００２７】
　この一実施例では、扉片１５、１６は互いに対称的な大きさに形成されており、この表面には模様が形成されている。そして、全閉した状態では図３に示したように、文字盤３上で左右の扉片１５、１６は重なる部分はなく、その形状自体が互いには嵌るように面一状態になり、扉片１５、１６の表面に形成した模様を見ることができる。
【００２８】
　また、扉片１５、１６が全開した状態では、図２に示したように、それぞれ文字盤３に対して垂直方向に開くので、文字盤３が図２に示したように現れ、文字盤３内に形成した模様を見ることができる。
【００２９】
　このように開閉する扉片１５、１６は、ばね１１によって時計本体４に枢着され、常に開く方向に付勢力が働いている。つまり、開蓋時にはこの付勢力を解放し、逆に閉蓋時には付勢力をかけるようにする。このばね１１の付勢力を制御するスイッチとなるのは、扉片１５および扉片１６に形成されてある係合部１５ａおよび係合部１６ｂが、支持板５に形成してある係止孔７ａおよび７ｂを貫いて、回転板７に形成してある係止部１０ａおよび１０ｂに係止する係止部で行われる。
【００３０】
　回転板７と支持板５はドーナツ状部材の中心部に形成した大きな孔を中心にして、切欠部９および切欠部８それに係止部１０ａおよび１０ｂをそれぞれ合わせつつ順次時計本体４に組入れて固定する。このように固定することで図２に示したように、係止孔７ａおよび係止孔７ｂ内には、それぞれ係止部１０ａおよび係止部１０ｂの一部分が見えるように設置される。
【００３１】
　次に、扉片１５，１６の裏面側に設置してある係合部１５ａ、１６ｂについての説明をする。両者は同一形状で且つ同一の動作をするものなので、本説明では扉片１５の動作のみを説明し、扉片１６の動作説明は省略する。扉片１５の裏面側に形成されている係合部１５ａは図７に示すように、中央部が切欠された円柱状を成しており、取付面１５ａ−１が扉片１５の裏面に接着剤等によって取付られている。その取付面から切欠され延出された基部１５ａ−２が形成されており、その基部１５ａ−２の先端方向には円柱状の係合部材１５ａ−３が形成されている。そして、係合部材１５ａ-３の頭部１５ａ−４は円錐状のテーパを有している。この円柱状の係合部１５ａの軸と直角に切断した断面の直径は支持板５の係止孔７ａより略小さいく形成されているので、係合部１５ａの係合部材１５ａ−３は係止孔７ａに嵌合されるようになっている。
【００３２】
　また、係合部材１５ａ−３が係止孔７ａに嵌合されると共に係止部１０ａにも嵌合されることになるが、その際に、基部１５ａ−２は係止部１０ａの凹部１２ａ内に嵌り込み係合部材１５ａ−３の係合面１５ａ−５が係止孔７ａに引っ掛かかるように係止される。
【００３３】
　その係合面１５ａ−５が係止孔７ａに引っ掛かかる動作を更に詳しく説明すると、まず、時計本体４に固定されている支持板５の内側に位置する回転板７は図２に示した状態つまり、係止部１０ａに形成した凹部１２ａの底面部を係止孔７ａの内周縁部に略接するように設置するが、このとき、この位置から所定の移動量を常に右回転力の図示しないばねの付勢力がかかるようにしておく。つまり、その頭部がテーパ状に形成されている頭部１５ａ−４は係止孔７ａを貫き係止部１０ａおよび凹部１２ａに到達し、さらにこの状態から押込むことによって、頭部１５ａ−４のテーパ部が係止部１０ａおよび凹部１２ａの内周端部に接しながら進んで行くので、その進みに従い回転板７は付勢力に逆らいながら回転方向Ａに基部１５ａ−２が凹部１２ａに嵌るまで回転移動し、基部１５ａ−２が凹部１２ａに嵌ると今度は回転板７は基部１５ａ−２の厚み寸法まで回転が戻され、係合部１５ａは係止部１０ａに係止されることになる。同様に係合部１６ｂも係止部１０ｂに係止される。
【００３４】
　このような状態で支持板５と回転板７とが組合わされているので、扉片１５および扉片１６は、それぞれ係合部１５ａおよび１６ｂを係止部１０ａおよび１０ｂに対応するように形成しておくことで、扉片１５および扉片１６を閉じる時は、それぞれ文字盤３方向へ押付ければ良い。
【００３５】
　また、今度は逆に扉片１５および扉片１６を開く時は、回転板７を回転方向Ａの方向に回転させることで、基部１５Ａ−２が凹部１２ａから外れると共に係合面１５ａ−５が係止部１０ａの内周縁部から外れるので、扉片１５および扉片１６はばね１１の付勢力から解放されて開かれることになる。
【図面の簡単な説明】
【００３６】
【図１】本考案の一実施例に係る開閉式時計の扉片が開いた状態を示す斜視図である。
【図２】図１に示す開閉式時計の扉片が開いた状態を示す正面図である。
【図３】図１に示す開閉式時計の扉片が閉じた状態を示す正面図である。
【図４】図３に示すＸ方向から見た状態を示した矢視図である。
【図５】図２に示す支持板の構造を示す正面図である。
【図６】図２に示す回転板の構造を示す正面図である。
【図７】図２に示す係止部に付加した係合部の詳細構造を示した斜視図である。
【符号の説明】
【００３７】
　１　開閉式時計本体
　２　リューズ
　３　文字盤
　４　時計本体
　５　支持板
　６　時計バンド
　７　回転板
　７ａ　係止孔
　７ｂ　係止孔
　８　切欠部
　９　切欠部
　１０ａ、１０ｂ　係止部
　１１　ばね
　１２ａ、１２ｂ　凹部
　１５　扉片
　１５ａ　係合部
　１５ａ−１　取付面
　１５ａ−２　基部
　１５ａ−３　係合部材
　１５ａ−４　頭部
　１５ａ−５　係合面
　１６　扉片
　１６ｂ　係合部
　Ａ　回転方向
【図１】
0003099740.tif 000003
【図２】
0003099740.tif 000004
【図３】
0003099740.tif 000005
【図４】
0003099740.tif 000006
【図５】
0003099740.tif 000007
【図６】
0003099740.tif 000008
【図７】
0003099740.tif 000009